(57)【特許請求の範囲】
【請求項１】
下記一般式［１］で示される化合物からなる有機エレクトロルミネッセンス素子材料。
一般式［１］
【化１】
0003760508.tif 000016
［式中、Ｘは、−Ｏ−、−Ｓ−、＞Ｎ−Ｒ9 、＞ＣＲ10（Ｒ11）を表し、Ｒ1〜Ｒ11は、それぞれ独立に、水素原子、ハロゲン原子、シアノ基、ニトロ基、水酸基、シロキシ基、アシル基、カルボン酸基、スルホン酸基、置換もしくは未置換のアルキル基、置換もしくは未置換のアルコキシ基、置換もしくは未置換のアルキルチオ基、置換もしくは未置換のアミノ基、置換もしくは未置換のアリール基、置換もしくは未置換のシクロアルキル基、置換もしくは未置換のアリールオキシ基、置換もしくは未置換のアリールチオ基、酸素原子または硫黄原子を含有しても良い置換もしくは未置換の複素環基を表し、Ｒ1 〜Ｒ4 およびまたはＲ5〜Ｒ8 の隣接する置換基同士が互いに結合して酸素原子、硫黄原子または窒素原子を含んで良い芳香族環を形成しても良い。Ｍは、二価もしくは三価の金属原子を表し、ｎは２もしくは３を表す。
ただし、一般式［１］の化合物が、Ｒ1 〜Ｒ4 およびまたはＲ5 〜Ｒ8 の隣接する置換基同士が互いに結合して、酸素原子、硫黄原子または窒素原子を含んで良い芳香族環を形成するものであり、かつ、
下記一般式［５］である場合を除き、かつ、式中の一般式［６］に相当する部分が、一般式［７］であ有る場合を除く。］
一般式［５］
0003760508.tif 000017
［一般式［５］中のＸは、Ｓ又はＯを表す。］
一般式［６］
0003760508.tif 000018
［一般式［６］中の、Ｘ、Ｒ1〜Ｒ８は、それぞれ、一般式［１］のそれと同じものを表す。］
一般式［７］
0003760508.tif 000019
［一般式［７］中の、（Ｘ）、（Ｚ）は、Ｃ、Ｓ、Ｓｅ、Ｔｅ，Ｎ，Ｐから選択されるいずれかの元素を表し、（Ｙ）は、Ｃ，Ｎ，Ｐから選択されるいずれかの元素を表し、（Ａ１）は、上記（Ｙ）に対してオルト位に水酸基が結合された芳香族化合物もしくは複素環化合物の基であり、（Ａ２）は上記（Ｘ）、（Ｚ）が結合した各炭素と結合して芳香族化合物もしくは複素環化合物を構成し、（Ａ１）及び（Ａ２）は置換基を有してもよい。］
【請求項２】
一般式［１］の化合物が、Ｒ1 〜Ｒ8 の少なくとも一つが、置換もしくは未置換のアリール基、置換もしくは未置換のシクロアルキル基、置換もしくは未置換のアリールオキシ基、置換もしくは未置換のアリールチオ基、酸素原子または硫黄原子を含有しても良い置換もしくは未置換の複素環基である請求項１記載の有機エレクトロルミネッセンス素子材料。
【請求項３】
一対の電極間に、発光層もしくは発光層および電子注入層を含む有機化合物薄膜層を備えた有機エレクトロルミネッセンス素子において、少なくとも一層が請求項１または２記載の有機エレクトロルミネッセンス素子材料を含有する層である有機エレクトロルミネッセンス素子。
【請求項４】
一対の電極間に、発光層もしくは発光層および電子注入層を含む有機化合物薄膜層を備えた有機エレクトロルミネッセンス素子において、発光層が請求項１または２記載の有機エレクトロルミネッセンス素子材料を含有する層である有機エレクトロルミネッセンス素子。
【請求項５】
一対の電極間に、発光層もしくは発光層および電子注入層を含む有機化合物薄膜層を備えた有機エレクトロルミネッセンス素子において、発光層と陰極との間の少なくとも一層が請求項１または２記載の有機エレクトロルミネッセンス素子材料を含有する層である有機エレクトロルミネッセンス素子。
【発明の詳細な説明】
【０００１】
【発明の属する技術分野】
本発明は、平面光源や発光表示に使用される有機エレクトロルミネッセンス（ＥＬ）素子用電子注入材料および高輝度、長寿命の発光素子によるものである。
【０００２】
【従来の技術】
有機物質を使用したＥＬ素子は、固体発光型の安価な大面積フルカラー表示素子としての用途が有望視され、多くの開発が行われている。一般にＥＬ素子は、発光層および該層をはさんだ一対の対向電極から構成されている。発光は、両電極間に電界が印加されると、陰極側から電子が注入され、陽極側から正孔が注入され、発光層において電子と正孔とが再結合し、エネルギー準位が伝導帯から価電子帯に戻る際にエネルギーを光として放出する現象である。
【０００３】
従来の有機ＥＬ素子は、無機ＥＬ素子に比べて駆動電圧が高く、発光輝度や発光効率も低かった。また、特性劣化も著しく実用化には至っていなかった。近年、１０Ｖ以下の低電圧で発光する高い蛍光量子効率を持った有機化合物を含有した薄膜を積層した有機ＥＬ素子が報告され、関心を集めている（アプライド・フィジクス・レターズ、５１巻、９１３ページ、１９８７年参照）。この方法は、金属キレート錯体を蛍光体層、アミン化合物を正孔注入層として積層させて高輝度の緑色発光を得ており、６〜７Ｖの直流電圧下において輝度は数１００（ｃｄ／ｍ2 ）、最大発光効率は１．５（ｌｍ／Ｗ）であり、実用領域に近い性能を達成している。
【０００４】
しかしながら、現在までの有機ＥＬ素子は、構造の改善により発光強度は改良されているが、未だ充分な発光輝度は有していない。また、繰り返し使用時の安定性に劣るという大きな問題を持っている。これは、例えば、トリス（８−ヒドロキシキノリナト）アルミニウム錯体等の金属錯体が、電界発光時に化学的に不安定であり、陰極との密着性も悪く、素子劣化も問題は解決されていない。未だ、発光輝度や発光効率が高く、長時間にわたり安定な発光特性を有する発光材料はなく、発光材料の開発が望まれている。
【０００５】
また、有機ＥＬ素子の有機層の正孔注入材料は、陽極からの正孔注入効率が良く、注入された正孔を効率よく発光層の方向に輸送できる材料であることが好ましい。そのためには、イオン化ポテンシャルが小さく、正孔移動度が大きく、安定性に優れていることが要求される。電子注入材料としては、陰極からの電子注入効率が良く、注入された電子を効率よく発光層の方向に輸送できる材料であることが好ましい。そのためには、電子親和力が大きく、電子移動度が大きく、安定性に優れていることが要求される。
【０００６】
現在までに提案された正孔注入材料としては、オキサジアゾール誘導体（米国特許第３，１８９，４４７号）、オキサゾール誘導体（米国特許第３，２５７，２０３号）、ヒドラゾン誘導体（米国特許第３，７１７，４６２号、特開昭５４−５９，１４３号、米国特許第４，１５０，９７８号）、トリアリールピラゾリン誘導体（米国特許第３，８２０，９８９号、特開昭５１−９３，２２４号、特開昭５５−１０８，６６７号）、アリールアミン誘導体（米国特許第３，１８０，７３０号、米国特許第４，２３２，１０３号、特開昭５５−１４４，２５０号、特開昭５６−１１９，１３２号）、スチルベン誘導体（特開昭５８−１９０，９５３号、特開昭５９−１９５，６５８号）等がある。
【０００７】
電子注入材料としては、オキサジアゾール誘導体（特開平２−２１６７９１号）、ペリノン誘導体（特開平２−２８９６７６号）、ペリレン誘導体（特開平２−１８９８９０号、特開平３−７９１号）、キナクリドン誘導体（特開平６−３３００３１号）等があるが、この電子注入材料を使用した有機ＥＬ素子の陰極から有機層への電子注入特性は充分ではなかった。
【０００８】
現在までの有機ＥＬ素子は、構成を改善することにより発光効率は改良されているが、未だ充分な素子寿命は有していない。特に、陰極金属と有機層界面の接触による注入効率が低く、電極に接触した有機層の耐熱性等も大きな問題になっている。そのため、より高い発光効率であり、長寿命の有機ＥＬ素子の開発のために、有機素子材料の開発が望まれている。
【０００９】
【発明が解決しようとする課題】
本発明は、陰極からの電子注入効率が良好であり、発光特性が良好な有機エレクトロルミネッセンス素子材料により、高輝度・高発光効率であり、発光劣化が少なく信頼性の高いエレクトロルミネッセンス素子材料を提供することにあり、さらには、本有機エレクトロルミネッセンス素子材料を使用した高輝度、長寿命の有機ＥＬ素子を提供することを目的とする。本発明者らが鋭意検討した結果、一般式［１］で示される少なくとも一種の有機エレクトロルミネッセンス素子材料を使用した有機ＥＬ素子が、発光特性および電子注入特性が良好であり、発光寿命の安定性も優れていることを見いだし本発明に至った。
【００１０】
【課題を解決するための手段】
即ち、本発明は、下記一般式［１］で示される化合物からなる有機エレクトロルミネッセンス素子材料である。
一般式［１］
【００１１】
【化２】
0003760508.tif 000002
【００１２】
［式中、Ｘは、−Ｏ−、−Ｓ−、＞Ｎ−Ｒ9 、＞ＣＲ10（Ｒ11）を表し、Ｒ1〜Ｒ11は、それぞれ独立に、水素原子、ハロゲン原子、シアノ基、ニトロ基、水酸基、シロキシ基、アシル基、カルボン酸基、スルホン酸基、置換もしくは未置換のアルキル基、置換もしくは未置換のアルコキシ基、置換もしくは未置換のアルキルチオ基、置換もしくは未置換のアミノ基、置換もしくは未置換のアリール基、置換もしくは未置換のシクロアルキル基、置換もしくは未置換のアリールオキシ基、置換もしくは未置換のアリールチオ基、酸素原子または硫黄原子を含有しても良い置換もしくは未置換の複素環基を表し、Ｒ1 〜Ｒ4 およびまたはＲ5〜Ｒ8 の隣接する置換基同士が互いに結合して酸素原子、硫黄原子または窒素原子を含んで良い芳香族環を形成しても良い。Ｍは、二価もしくは三価の金属原子を表し、ｎは２もしくは３を表す。
ただし、一般式［１］の化合物が、Ｒ1 〜Ｒ4 およびまたはＲ5 〜Ｒ8 の隣接する置換基同士が互いに結合して、酸素原子、硫黄原子または窒素原子を含んで良い芳香族環を形成するものであり、かつ、
下記一般式［５］である場合を除き、かつ、式中の一般式［６］に相当する部分が、一般式［７］であ有る場合を除く。］
一般式［５］
0003760508.tif 000003
［一般式［５］中のＸは、Ｓ又はＯを表す。］
一般式［６］
0003760508.tif 000004
［一般式［６］中の、Ｘ、Ｒ1〜Ｒ８は、それぞれ、一般式［１］のそれと同じものを表す。］
一般式［７］
0003760508.tif 000005
［一般式［７］中の、（Ｘ）、（Ｚ）は、Ｃ、Ｓ、Ｓｅ、Ｔｅ，Ｎ，Ｐから選択されるいずれかの元素を表し、（Ｙ）は、Ｃ，Ｎ，Ｐから選択されるいずれかの元素を表し、（Ａ１）は、上記（Ｙ）に対してオルト位に水酸基が結合された芳香族化合物もしくは複素環化合物の基であり、（Ａ２）は上記（Ｘ）、（Ｚ）が結合した各炭素と結合して芳香族化合物もしくは複素環化合物を構成し、（Ａ１）及び（Ａ２）は置換基を有してもよい。］
【００１４】
更に本発明は、一般式［１］の化合物が、Ｒ1 〜Ｒ8 の少なくとも一つが、置換もしくは未置換のアリール基、置換もしくは未置換のシクロアルキル基、置換もしくは未置換のアリールオキシ基、置換もしくは未置換のアリールチオ基、酸素原子または硫黄原子を含有しても良い置換もしくは未置換の複素環基である上記有機エレクトロルミネッセンス素子材料である。
【００１５】
さらに本発明は、一対の電極間に、発光層もしくは発光層および電子注入層を含む有機化合物薄膜層を備えた有機エレクトロルミネッセンス素子において、少なくとも一層が上記有機エレクトロルミネッセンス素子材料を含有する層である有機エレクトロルミネッセンス素子である。
【００１６】
さらに本発明は、一対の電極間に、発光層もしくは発光層および電子注入層を含む有機化合物薄膜層を備えた有機エレクトロルミネッセンス素子において、発光層が上記有機エレクトロルミネッセンス素子材料を含有する層である有機エレクトロルミネッセンス素子である。
【００１７】
さらに本発明は、一対の電極間に、発光層もしくは発光層および電子注入層を含む有機化合物薄膜層を備えた有機エレクトロルミネッセンス素子において、発光層と陰極との間の少なくとも一層が上記有機エレクトロルミネッセンス素子材料を含有する層である有機エレクトロルミネッセンス素子である。
【発明の実施の形態】
【００１８】
本発明の一般式［１］で示される化合物のＲ1 〜Ｒ11のハロゲン原子の具体例としては、フッ素、塩素、臭素、ヨウ素がある。アルキル基の具体例としては、炭素数１〜２０が好ましく、メチル基、エチル基、プロピル基、ブチル基、ｓｅｃ−ブチル基、ｔｅｒｔ−ブチル基、ペンチル基、ヘキシル基、ヘプチル基、オクチル基、ステアリル基、トリクロロメチル基、トリフロロメチル基、２，２，２−トリフルオロエチル基、２，２，３，３−テトラフルオロプロピル基、２，２，３，３，３−ペンタフルオロプロピル基、２−メトキシエチル基等がある。アルコキシ基の具体例としては、炭素数１〜２０が好ましく、メトキシ基、エトキシ基、プロポキシ基、ブトキシ基、トリクロロメトキシ基、トリフルオロメトキシ基、トリフルオロエトキシ基、ペンタフルオロプロポキシ基、２，２，３，３−テトラフルオロプロポキシ基等がある。アルキルチオ基の具体例としては、炭素数１〜２０が好ましく、メチルチオ基、エチルチオ基、プロピルチオ基、ブチルチオ基、トリクロロメチルチオ基、トリフルオロメチルチオ基、トリフルオロエチルチオ基、ペンタフルオロプロピルチオ基、２，２，３，３−テトラフルオロプロピルチオ基等がある。アミノ基の具体例としては、炭素数１〜２０が好ましく、アミノ基、ジメチルアミノ基、ジエチルアミノ基、ジフェニルアミノ基、ジトリルアミノ基、Ｎ−ナフチル−１−フェニルアミノ基等がある。アリール基の具体例としては、炭素数１〜４０が好ましく、フェニル基、トリル基、ナフチル基、ビフェニル基、ｏ，ｍ，ｐ−ターフェニル基、アントラニル基、フェナントレニル基、フルオレニル基、９−フェニルアントラニル基、９，１０−ジフェニルアントラニル基、ピレニル基等がある。シクロアルキル基の具体例としては、炭素数４〜２０が好ましく、シクロペンチル基、シクロヘキシル基、ノルボナン基、アダマンタン基、４−メチルシクロヘキシル基、４−シアノシクロヘキシル基等がある。アリールオキシ基の具体例としては、酸素原子を介して上記アリール基が結合した基がある。アリールチオ基の具体例としては、硫黄原子を介して上記アリール基が結合した基がある。酸素原子、硫黄原子を含有しても良い複素環基の具体例としては、ピロール基、ピロリン基、ピラゾール基、ピラゾリン基、イミダゾール基、トリアゾール基、ピリジン基、ピリダジン基、ピリミジン基、ピラジン基、トリアジン基、インドール基、プリン基、キノリン基、イソキノリン基、シノリン基、キノキサリン基、ベンゾキノリン基、フルオレノン基、ジシアノフルオレン基、カルバゾール基、オキサゾール基、オキサジアゾール基、チアゾール基、チアジアゾール基、トリアゾール基、イミダゾール基、ベンゾオキサゾール基、ベンゾチアゾール基、ベンゾトリアゾール基、ベンゾイミダゾール基、ビスベンゾオキサゾール基、ビスベンゾチアゾール基、ビスベンゾイミダゾール基、アントロン基、ジベンゾフラン基、ジベンゾチオフェン基、アントラキノン基、アクリドン基、フェノチアジン基等がある。
【００１９】
上記記載の基に付加しても良い置換基の具体例としては、フッ素、塩素、臭素、ヨウ素のハロゲン原子、メチル基、エチル基、プロピル基、ブチル基、ｓｅｃ−ブチル基、ｔｅｒｔ−ブチル基、ペンチル基、ヘキシル基、ヘプチル基、オクチル基、ステアリル基、トリクロロメチル基、トリフルオロメチル基、２，２，２−トリフルオロエチル基、２，２，３，３−テトラフルオロプロピル基、２，２，３，３，３−ペンタフルオロプロピル基、１，１，１，３，３，３−ヘキサフルオロ−２−プロピル基、２，２，３，３，４，４−ヘキサフルオロブチル基、２−メトキシエチル基等の置換もしくは未置換のアルキル基、メトキシ基、ｎ−ブトキシ基、ｔｅｒｔ−ブトキシ基、トリクロロメトキシ基、トリフルオロエトキシ基、ペンタフルオロプロポキシ基、２，２，３，３−テトラフルオロプロポキシ基、１，１，１，３，３，３−ヘキサフルオロ−２−プロポキシ基、６−（パーフルオロエチル）ヘキシルオキシ基等の置換もしくは未置換のアルコキシ基、シアノ基、ニトロ基、アミノ基、メチルアミノ基、ジエチルアミノ基、エチルアミノ基、ジエチルアミノ基、ジプロピルアミノ基、ジブチルアミノ基、ジフェニルアミノ基等のモノまたはジ置換アミノ基、ビス（アセトキシメチル）アミノ基、ビス（アセトキシエチル）アミノ基、ビスアセトキシプロピル）アミノ基、ビス（アセトキシブチル）アミノ基等のアシルアミノ基、水酸基、シロキシ基、アシル基、メチルカルバモイル基、ジメチルカルバモイル基、エチルカルバモイル基、ジエチルカルバモイル基、プロイピルカルバモイル基、ブチルカルバモイル基、フェニルカルバモイル基等のカルバモイル基、カルボン酸基、スルフォン酸基、イミド基等がある。また、上記記載のアリール基、シクロアルキル基、アリールオキシ基、アリールチオ基、酸素原子、硫黄原子を含有しても良い複素環基等が置換基であっても良い。
【００２０】
また、一般式［１］において、Ｍとして好ましい金属原子は、ベリリウム、亜鉛、カドミウム、マグネシウム、カルシウム、コバルト、ニッケル、鉄、銅、ストロンチウム、スカンジウム、アルミニウム、ガリウムもしくはインジウム等の二価もしくは三価の金属原子を示すが、これらに限られるものではない。ｎは金属原子の価数により異なり、二価金属の場合２、三価金属の場合３である。
【００２１】
以下に、本発明の有機ＥＬ素子に使用される一般式［１］の化合物の代表例を具体的に例示するが、本発明は以下の代表例に限定されるものではない。
【００２２】
【表１】
0003760508.tif 000006
【００２３】
0003760508.tif 000007
【００２５】
0003760508.tif 000008
【００２６】
0003760508.tif 000009
【００２７】
0003760508.tif 000010
【００２８】
本発明の一般式［１］で示される化合物は、水酸基を有した芳香族複素環配位子と金属化合物とを溶媒中で反応させて得ることができる。その反応は、以下の文献を参考にして、本発明の金属錯体化合物に使用する配位子を合成し、一般式［１］で示される金属錯体を形成させる。（ヘテロサイクルズ、１６巻、１１６５ページ、１９８１年：イノーガニック・ケミストリー、２７巻、４２０８ページ、１９８８年：ポリマー、３５巻、３０９１ページ、１９９４年：ジャーナル・オブ・オーガニック・ケミストリー、６０巻、５４６８ページ、１９９５年）。金属錯体に配位する配位子としては、ナフタレン、アントラセン、フェナントレン等の縮合芳香族環、酸素原子、硫黄原子もしくは窒素原子を環内に含んでも良い芳香族環が好ましく、置換基としては、酸素原子、硫黄原子もしくは窒素原子を環内に含んでも良いアリール基もしくはフェノキシ、ナフトオキシ、フェニルチオ、ナフチルチオ基のような酸素原子、硫黄原子を介して芳香族環に結合している基が好ましい。上記芳香族環もしくは置換基を有した金属錯体が、本発明の有機ＥＬ素子に適している理由としては、ナフタレン等の縮合芳香族環を有した方が金属錯体としての耐熱性が高いために、素子の発光時での最高輝度、発光寿命に関して有利であることが推測される。
【００２９】
本発明の一般式［１］で示される化合物は、同一層内で単独で用いても混合して用いても良い。また、必要があれば他の正孔もしくは電子注入性化合物と混合して使用してもさしつかえない。本発明の化合物は、電子輸送能力、陰極からの電子注入性および発光特性が良好なので、有機ＥＬ素子の発光層もしくは電子注入層に極めて有効に使用することができる。
【００３０】
有機ＥＬ素子は、陽極と陰極間に一層もしくは多層の有機薄膜を形成した素子である。一層型の場合、陽極と陰極との間に発光層を設けている。発光層は、発光材料を含有し、それに加えて陽極から注入した正孔もしくは陰極から注入した電子を発光材料まで輸送させるために、正孔注入材料もしくは電子注入材料を含有しても良い。発光材料が、正孔輸送性もしくは電子輸送性を有している場合もある。多層型は、（陽極／正孔注入層／発光層／陰極）、（陽極／発光層／電子注入層／陰極）、（陽極／正孔注入層／発光層／電子注入層／陰極）等の多層構成で積層した有機ＥＬ素子があるがこれらに限られるものではない。
【００３１】
発光層には、必要があれば、本発明の一般式［１］の化合物に加えて、発光材料、ドーピング材料、正孔注入材料や電子注入材料を使用することもできる。（陽極／正孔注入層／発光層／陰極）の順で積層された有機薄膜二層構造の場合、発光層と正孔注入層を分離している。この構造により、正孔注入層から発光層への正孔注入効率が向上して、発光輝度や発光効率を増大することができる。この場合、発光層に使用される発光材料自身が電子輸送性であること、または発光層中に電子注入材料を添加することが望ましい。（陽極／発光層／電子注入層／陰極）の順で積層された有機薄膜二層構造の場合、発光層と電子注入層を分離している。この構造により、電子注入層から発光層への電子注入効率が向上して、発光輝度や発光効率を増加させることができる。この場合、発光層に使用される発光材料自身が正孔輸送性であること、または発光層中に正孔注入材料を添加することが望ましい。
【００３２】
また、有機薄膜三層構造の場合は、発光層、正孔注入層、電子注入層を有し、発光層での正孔と電子の再結合の効率を向上させている。このように、有機ＥＬ素子を多層構造にして、クエンチングによる輝度や寿命の低下を防ぐことができる。このような多層構造の素子では、必要があれば、発光材料、ドーピング材料、キャリア輸送を行う正孔注入材料や電子注入材料を組み合わせて使用できる。また、正孔注入層、発光層、電子注入層は、それぞれ二層以上の層により形成されても良い。正孔注入層が二層以上の場合、陽極に接している層を正孔注入層、その正孔注入層と発光層との間の層を正孔輸送層と呼び、電子注入層が二層以上の場合、陰極に接している層を電子注入層、その電子注入層と発光層との間の層を電子輸送層と呼ぶ例が多い。
【００３３】
本発明の有機ＥＬ素子は、発光層、電子注入層において、必要があれば、一般式［１］の化合物に加えて、公知の発光材料、ドーピング材料、正孔注入材料、電子注入材料を使用することができる。
【００３４】
本発明の一般式［１］の化合物を電子注入材料として使用した有機ＥＬ素子の発光層の発光材料もしくはドーピング材料としては、以下の化合物が挙げられる。アントラセン、ナフタレン、フェナントレン、ピレン、テトラセン、コロネン、クリセン、フルオレセイン、ペリレン、フタロペリレン、ナフタロペリレン、ペリノン、フタロペリノン、ナフタロペリノン、ジフェニルブタジエン、テトラフェニルブタジエン、クマリン、オキサジアゾール、アルダジン、ビスベンゾキサゾリン、ビススチリル、ジアミン、ピラジン、シクロペンタジエン、オキシン、アミノキノリン、イミン、ジフェニルエチレン、ビニルアントラセン、ジアミノカルバゾール、ピラン、チオピラン、ポリメチン、メロシアニン、イミダゾールキレート化オキシノイド化合物、キナクリドン、ルブレン、金属錯体化合物、等およびそれらの誘導体があるが、これらに限定されるものではない。上記材料はドーピング材料として、ホスト材料と共に発光層を形成して、高発光特性を有する発光層を形成することができる。
【００３５】
その中でも、金属錯体化合物、ビススチリル色素やジアミン色素等の低分子発光性化合物、共役性高分子等があげられるが、これらに限られるものではない。金属錯体化合物としては、（８−ヒドロキシキノリノナト）リチウム、ビス（８−ヒドロキシキノリノナト）亜鉛、ビス（８−ヒドロキシキノリノナト）マンガン、ビス（８−ヒドロキシキノリノナト）銅、トリス（８−ヒドロキシキノリノナト）アルミニウム、トリス（８−ヒドロキシキノリノナト）ガリウム、ビス（１０−ヒドロキシベンゾ［ｈ］キノリナト）ベリリウム、ビス（１０−ヒドロキシベンゾ［ｈ］キノリナト）亜鉛、ビス（１０−ヒドロキシベンゾ［ｈ］キノリナト）マグネシウム、トリス（１０−ヒドロキシベンゾ［ｈ］キノリナト）アルミニウム、ビス（２−メチル−８−キノリナト）クロロガリウム、ビス（２−メチル−８−キノリナト）（ｏ−クレゾラート）ガリウム、ビス（２−メチル−８−キノリナト）（１−フェノラート）アルミニウム、ビス（２−メチル−８−キノリナト）（１−フェノラート）ガリウム、ビス（２−メチル−８−キノリナト）（１−ナフトラート）アルミニウム、ビス（２−メチル−８−キノリナト）（１−ナフトラート）ガリウム、ビス（２−メチル−８−キノリナト）（１−ビフェノラート）ガリウム、ビス（２−［２−ベンゾオキサゾリナト］フェノラート）亜鉛、ビス（２−［２−ベンゾチアゾリナト］フェノラート）亜鉛、ビス（２−［２−ベンゾトリアゾリナト］フェノラート）亜鉛等があるがこれらに限定されるものではない。これらの化合物は、単独で用いてもよいし、２種類以上を混合してもよい。
【００３６】
発光材料に使用されるビススチリル色素としては、置換基を有してもよいフェニレン基、ナフチレン基、ビフェニレン基、アントラニレン基、ピレニレン基、チオフェニレン基、トリフェニルアミノ基、Ｎ−エチルカルバゾール基を連結基としたビススチリル色素がある。表２に、本発明の有機ＥＬ素子の発光層に使用されるビススチリル色素の代表例を具体的に例示するが、以下の代表例に限定されるものではない。これらの化合物は、単独で用いてもよいし、２種類以上を混合してもよい。
【００３７】
【表２】
0003760508.tif 000011
【００３８】
発光材料に使用されるジアミン色素としては、置換基を有してもよいフェニレン基、ナフチレン基、ビフェニレン基、アントラニレン基、ピレニレン基、チオフェニレン基、トリフェニルアミノ基、Ｎ−エチルカルバゾール基を連結基としたジアミン色素がある。表３に、本発明の有機ＥＬ素子の発光層に使用されるジアミン色素の代表例を具体的に例示するが、以下の代表例に限定されるものではない。これらの化合物は、単独で用いてもよいし、２種類以上を混合してもよい。
【００３９】
【表３】
0003760508.tif 000012
【００４０】
0003760508.tif 000013
【００４１】
0003760508.tif 000014
【００４２】
発光材料に使用される共役性高分子の連結基としては、Ｃ，Ｎ，Ｈ，Ｏ，Ｓから選ばれる１〜２００個の原子で構成される化学的に合理的な組合わせからなる二価の連結基であれば良い。具体的な連結基としては、フェニレン基、ナフチレン基、ビフェニレン基、アントラニレン基、ピレニレン基、チオフェニレン基、トリフェニルアミノ基、Ｎ−エチルカルバゾール基等があり、ビニル結合とともに繰り返し単位により高分子化合物を形成する。これらの連結基の置換基としては、上記一般式［１］と同様の置換基が挙げられる。繰り返し単位は、２以上１００００以下である。
該共役性高分子の代表例を具体的に例示するが、以下の代表例に限定されるものではない。例示される共役系重合体としては、ポリ（ｐ−フェニレン）、ポリ（ｐ−フェニレンビニレン）、ポリ（２，５−ジペンチル−ｐ−フェニレンビニレン）、ポリ（２，５−ジペンチル−ｍ−フェニレンビニレン）、ポリ（２，５−ジオクチル−ｐ−フェニレンビニレン）、ポリ（２，５−ジヘキシルオキシ−ｐ−フェニレンビニレン）、ポリ（２，５−ジヘキシルオキシ−ｍ−フェニレンビニレン）、ポリ（２，５−ジヘキシルチオ−ｐ−フェニレンビニレン）、ポリ（２，５−ジデシルオキシ−ｐ−フェニレンビニレン）ポリ（２−メトキシ−５−ヘキシルオキシ−ｐ−フェニレンビニレン）、ポリ（２−メトキシ−５−（３’−メチル−ブトキシ）−ｐ−フェニレンビニレン、ポリ（２，５−チエニレンビニレン）、ポリ（３−ｎ−オクチル−２，５−チエニレンビニレン）、ポリ（１，４−ナフタレンビニレン）、ポリ（９，１０−アントラセンビニレン）およびそれらの共重合体がある。これらの化合物は単独で用いてもよいし、２種類以上を混合してもよい。
【００４３】
本発明の有機ＥＬ素子に使用できる正孔注入材料としては、正孔を輸送する能力を持ち、発光層または発光材料に対して優れた正孔注入効果を有し、発光層で生成した励起子の電子注入層または電子輸送材料への移動を防止し、かつ薄膜形成能の優れた化合物が挙げられる。具体的には、フタロシアニン、ナフタロシアニン、ポルフィリン、オキサジアゾール、トリアゾール、イミダゾール、イミダゾロン、イミダゾールチオン、ピラゾリン、ピラゾロン、テトラヒドロイミダゾール、オキサゾール、オキサジアゾール、ヒドラゾン、アシルヒドラゾン、ポリアリールアルカン、スチルベン、ブタジエン、ベンジジン型トリフェニルアミン、スチリルアミン型トリフェニルアミン、ジアミン型トリフェニルアミン等と、それらの誘導体、およびポリビニルカルバゾール、ポリシラン、導電性高分子等の高分子材料等があるが、これらに限定されるものではない。
【００４４】
本発明の有機ＥＬ素子に使用する一般式［１］の化合物と併せて使用できる電子注入材料としては、電子を輸送する能力を持ち、発光層または発光材料に対して優れた電子注入効果を有し、発光層で生成した励起子の正孔注入層または正孔輸送材料への移動を防止し、かつ薄膜形成能の優れた化合物が挙げられる。例えば、フルオレノン、アントラキノジメタン、ジフェノキノン、チオピランジオキシド、オキサジアゾール、チアジアゾール、トリアゾール、ペリレンテトラカルボン酸、フレオレニリデンメタン、アントラキノジメタン、アントロン、金属錯体等とそれらの誘導体があるが、これらに限定されるものではない。これらの電子注入材料は、一般式［１］の化合物と同一層に使用することもできるが、一般式［１］の化合物により形成される電子注入層と積層して電子注入効果を向上させることもできる。また、正孔注入材料に電子受容材料を、電子注入材料に電子供与性材料を添加することにより増感させることもできる。
【００４５】
本発明の一般式［１］の化合物を発光材料として使用した有機ＥＬ素子に併せて使用される正孔注入材料、発光材料、ドーピング材料、電子注入材料は上記の各化合物を使用することができる。また、その際、一般式［１］の化合物の中から適切な化合物を選択して、電子注入材料として使用することもできる。
【００４６】
本発明により得られた有機ＥＬ素子の、温度、湿度、雰囲気等に対する安定性の向上のために、素子の表面に保護層を設けたり、シリコンオイル等を封入して素子全体を保護することも可能である。
【００４７】
陽極に使用される導電性材料としては、４ｅＶより大きな仕事関数を持つ金属が適しており、Ａｕ、Ｐｔ、Ａｇ、Ｃｕ、Ａｌ等の金属、金属合金、ＩＴＯ、ＮＥＳＡもしくはポリチオフェンやポリピロール等の有機導電性樹脂が用いられる。
【００４８】
陰極に使用される導電性材料としては、４ｅＶより小さな仕事関数を持つ金属もしくは金属合金が適している。その材料としては、Ａｌ、Ｉｎ、Ｍｇ、Ｌｉ、Ｃａ等の金属、もしくは、Ｍｇ／Ａｇ、Ｌｉ／Ａｌ、Ｍｇ／Ｉｎ等の合金が挙げられる。陽極および陰極は、必要があれば二層以上で形成されていても良い。陽極および陰極は、蒸着、スパッタリング、イオンプレーティング、プラズマガン等の公知の成膜法により作製される。
【００４９】
有機ＥＬ素子では、効率良く発光させるために、陰極もしくは陽極のうち、少なくとも一方は素子の発光波長領域において充分透明にすることが好ましい。また、基板も透明であることが望ましい。透明電極は、上記の導電性材料を使用して、蒸着、スパッタリング、イオンプレーティング法等の方法で所定の透光性が確保するように設定する。発光面側の電極の光透過率は１０％以上が望ましい。
【００５０】
基板は機械的、熱的強度を有し透明なものであれば良いが、例示すると、ガラス基板、ポリエチレン、ポリエーテルサルフォン、ポリプロピレン、ポリイミド等の板状もしくはフィルム状のものがあげられる。
【００５１】
本発明の有機ＥＬ素子の各層の形成は、真空蒸着、スパッタリング、イオンプレーティング、プラズマガン法等の乾式成膜法やスピンコーティング、ディッピング等の湿式成膜法のいずれの方法を適用することができる。共重合体の場合は、適切な溶剤等に溶解した後に湿式成膜することが好ましい。膜厚は特に限定されるものではないが、各層は適切な膜厚に設定する必要がある。膜厚が厚すぎると、一定の光出力を得るために大きな印加電圧が必要になり効率が悪くなる。膜厚が薄すぎるとピンホール等が発生して、電界を印加しても充分な発光輝度が得られない。通常の膜厚は５ｎｍから１０μｍの範囲が適しているであるが、１０ｎｍから０．２μｍの範囲がさらに好ましい。
【００５２】
湿式成膜法の場合、各層を形成する材料を、クロロホルム、テトラヒドロフラン、ジオキサン等の溶媒に溶解または分散して薄膜を形成するが、その溶媒はいずれでも良い。また、いずれの有機層においても、成膜性向上、膜のピンホール防止等のため適切な樹脂や添加剤を使用する。このような樹脂としては、ポリスチレン、ポリカーボネート、ポリアリレート、ポリエステル、ポリアミド、ウレタン、ポリスルフォン、ポリメチルメタクリレート、ポリメチルアクリレート等の絶縁性樹脂、ポリ−Ｎ−ビニルカルバゾール、ポリシラン等の光導電性樹脂、ポリチオフェン、ポリピロール等の導電性樹脂を挙げることができる。
【００５３】
以上のように、本発明の有機ＥＬ素子に一般式［１］の化合物を用いて、電子注入材料として使用した場合、電子の輸送能力および陰極面からの電子の注入効率を向上させ、発光材料として使用した場合、発光効率と発光輝度を高くできた。また、素子の薄膜層での電子輸送性、電子注入効率が高いために、素子として非常に安定であり、その結果低い駆動電流で高い発光輝度が得られるため、従来まで大きな問題であった寿命も大幅に低下させることができた。
【００５４】
本発明の有機ＥＬ素子は、壁掛けテレビ等のフラットパネルディスプレイや、平面発光体として、複写機やプリンター等の光源、液晶ディスプレイや計器類等の光源、表示板、標識灯等へ応用が考えられ、その工業的価値は非常に大きい。
【００５５】
【実施例】
以下、本発明を実施例に基づき、さらに詳細に説明する。
参考合成例：化合物（１７）の合成方法
粉末状の２−（２’−ヒドロキシナフチル）ベンゾチアゾールｇをエタノール２００ｍｌ中に入れ、６５℃で攪拌して溶解させる。溶解した後に、無水酢酸亜鉛ｇを加えて６５℃で３時間攪拌し、析出した結晶を濾別、メタノールで洗浄した後に乾燥させてｇの黄色蛍光性粉末を得た。元素分析、分子量分析、ＮＭＲスペクトル分析の結果、化合物（１７）であることを確認した。
化合物（１７）
0003760508.tif 000015
実施例１
洗浄した表面抵抗値１０（Ω／□）のＩＴＯ電極付きガラス板上に、Ｎ，Ｎ’−（４−メチルフェニル）−Ｎ，Ｎ’−（４−ｎ−ブチルフェニル）−フェナントレン−９，１０−ジアミンをテトラヒドロフランに溶解させ、スピンコーティングにより膜厚４０ｎｍの正孔注入層を得た。次いで、トリス（８−ヒドロキシキノリン）アルミニウム錯体の膜厚４０ｎｍの発光層を作成し、化合物（１）を真空蒸着して膜厚３０ｎｍの電子注入層を作成し、マグネシウムと銀を１０：１で混合した合金で膜厚１００ｎｍの電極を形成して有機ＥＬ素子を得た。発光層および電子注入層は、１０-6Ｔｏｒｒの真空中で、基板温度は室温で蒸着した。この素子は、直流電圧５Ｖで６０（ｃｄ／ｍ2 ）、最高輝度１３，５００（ｃｄ／ｍ2 ）、５Ｖ印加時での発光効率１．６（ｌｍ／Ｗ）の発光が得られた。次に、３（ｍＡ／ｃｍ2 ）の電流密度で、この素子を連続して発光させた寿命試験の結果、初期輝度の１／２以上の発光輝度が１０，０００時間以上保持された。
【００５７】
実施例２
洗浄した表面抵抗値１０（Ω／□）のＩＴＯ電極付きガラス板上に、Ｎ，Ｎ’−ジフェニル−Ｎ，Ｎ’−ジナフチル−１，１’−ビフェニル−４，４’−ジアミンを真空蒸着して膜厚４０ｎｍの正孔注入層を得た。次いで、トリス（８−ヒドロキシキノリン）アルミニウム錯体を真空蒸着して膜厚４０ｎｍの発光層を作成し、化合物（２７）を真空蒸着して膜厚３０ｎｍの電子注入層を作成し、マグネシウムと銀を１０：１で混合した合金で膜厚１００ｎｍの電極を形成して有機ＥＬ素子を得た。正孔注入層、発光層および電子注入層は、１０-6Ｔｏｒｒの真空中で、基板温度は室温で蒸着した。この素子は、直流電圧５Ｖで６５（ｃｄ／ｍ2 ）、最高輝度１５，５００（ｃｄ／ｍ2 ）、５Ｖ印加時での発光効率１．７（ｌｍ／Ｗ）の発光が得られた。次に、３ｍＡ／ｃｍ2 の電流密度で、この素子を連続して発光させた寿命試験の結果、初期輝度の１／２以上の発光輝度が１０，０００時間以上保持された。
【００５８】
実施例３
ＩＴＯ電極付きガラス板とＮ，Ｎ’−ジフェニル−Ｎ，Ｎ’−ジナフチル−１，１’−ビフェニル−４，４’−ジアミンとの間に、無金属フタロシアニンを真空蒸着して、膜厚５ｎｍの正孔注入層を設ける以外は、実施例２と同様の方法で有機ＥＬ素子を作製した。この素子は、直流電圧５Ｖで１００（ｃｄ／ｍ2 ）、最高輝度１３，０００（ｃｄ／ｍ2 ）、５Ｖ印加時での発光効率１．６（ｌｍ／Ｗ）の発光が得られた。次に、３ｍＡ／ｃｍ2 の電流密度で、この素子を連続して発光させた寿命試験の結果、初期輝度の１／２以上の発光輝度が２０，０００時間以上保持された。
【００５９】
実施例４
洗浄した表面抵抗値１０（Ω／□）のＩＴＯ電極付きガラス板上に、Ｎ，Ｎ’−ジフェニル−Ｎ，Ｎ’−ジナフチル−１，１’−ビフェニル−４，４’−ジアミンを真空蒸着して膜厚４０ｎｍの正孔注入層を得た。次いで、トリス（８−ヒドロキシキノリン）アルミニウム錯体とキナクリドンとを５０：１の重量比で真空蒸着して膜厚３０ｎｍの発光層を作成し、その上に化合物（３）を真空蒸着して膜厚３０ｎｍの電子注入層を作成し、アルミニウムとリチウムを１００：１で混合した合金で膜厚１００ｎｍの電極を形成して有機ＥＬ素子を得た。正孔注入層、発光層および電子注入層は１０-6Ｔｏｒｒの真空中で、基板温度室温の条件下で蒸着した。この素子は、直流電圧５Ｖで１２５０（ｃｄ／ｍ2 ）、最高輝度１４３，０００（ｃｄ／ｍ2 ）、５Ｖ印加時での発光効率１３．２（ｌｍ／Ｗ）の発光が得られた。次に、３ｍＡ／ｃｍ2 の電流密度で、この素子を連続して発光させた寿命試験の結果、初期輝度の１／２以上の発光輝度が２０，０００時間以上保持された。
【００６１】
実施例５
洗浄した表面抵抗値１０（Ω／□）のＩＴＯ電極付きガラス板上に、Ｎ，Ｎ’−ジフェニル−Ｎ，Ｎ’−ジナフチル−１，１’−ビフェニル−４，４’−ジアミンを真空蒸着して膜厚４０ｎｍの正孔注入層を得た。次いで、表２の化合物の（Ａ−１１）を真空蒸着して膜厚４０ｎｍの発光層を作成し、その上に化合物（３）を真空蒸着して膜厚３０ｎｍの電子注入層を作成し、アルミニウムとリチウムを１００：１で混合した合金で膜厚１００ｎｍの電極を形成して有機ＥＬ素子を得た。正孔注入層、発光層および電子注入層は１０-6Ｔｏｒｒの真空中で、基板温度室温の条件下で蒸着した。この素子は、直流電圧５Ｖで３３００（ｃｄ／ｍ2 ）、最高輝度１５１，０００（ｃｄ／ｍ2 ）、５Ｖ印加時での発光効率１３．４（ｌｍ／Ｗ）の発光が得られた。次に、３ｍＡ／ｃｍ2 の電流密度で、この素子を連続して発光させた寿命試験の結果、初期輝度の１／２以上の発光輝度が１５，０００時間以上保持された。
【００６３】
実施例６
ポリ（２，５−ジペンチル−ｐ−フェニレンビニレン）をテトラヒドロフランに溶解させ、スピンコーティングにより膜厚４０ｎｍの発光層を得る以外は実施例５と同様の方法で有機ＥＬ素子を作製した。この素子は、直流電圧５Ｖで１５０（ｃｄ／ｍ2 ）、最高輝度２１，５００（ｃｄ／ｍ2 ）、５Ｖ印加時での発光効率４．５（ｌｍ／Ｗ）の発光が得られた。次に、３ｍＡ／ｃｍ2 の電流密度で、この素子を連続して発光させた寿命試験の結果、初期輝度の１／２以上の発光輝度が１０，０００時間以上保持された。
【００６４】
実施例７
ＩＴＯ電極付きガラス板に代えて、洗浄した表面抵抗値１５（Ω／□）のＩＴＯ電極付きＰＥＳフィルム基板を使用する以外は、実施例５と同様の方法で有機ＥＬ素子を作製した。この素子は、直流電圧５Ｖで２１００（ｃｄ／ｍ2 ）、最高輝度９３，０００（ｃｄ／ｍ2 ）、５Ｖ印加時での発光効率１４．７（ｌｍ／Ｗ）の発光が得られた。次に、３ｍＡ／ｃｍ2 の電流密度で、この素子を連続して発光させた寿命試験の結果、初期輝度の１／２以上の発光輝度が１０，０００時間以上保持された。
【００６５】
比較例１
化合物（３）に代えて２−（４’−ｔｅｒｔ−ブチルフェニル）−５−（４”−ビフェニル）−１，３，４−オキサジアゾールを使用する以外は、実施例５と同様の方法で有機ＥＬ素子を作製した。この素子は、直流電圧５Ｖで２１０（ｃｄ／ｍ2 ）、最高輝度１８，５００（ｃｄ／ｍ2 ）、５Ｖ印加時での発光効率２．０（ｌｍ／Ｗ）の発光が得られた。次に、３ｍＡ／ｃｍ2 の電流密度で、この素子を連続して発光させた寿命試験の結果、１３００時間で初期輝度の１／２以下の発光輝度まで低下した。
【００６６】
比較例２
化合物（３）に代えてトリス（８−ヒドロキシキノリン）アルミニウム錯体を使用する以外は、実施例５と同様の方法で有機ＥＬ素子を作製した。この素子は、直流電圧５Ｖで１１００（ｃｄ／ｍ2 ）、最高輝度５５，０００（ｃｄ／ｍ2 ）、５Ｖ印加時での発光効率４．８（ｌｍ／Ｗ）の緑色発光が得られた。次に、３ｍＡ／ｃｍ2 の電流密度で、この素子を連続して発光させた寿命試験の結果、初期輝度の１／２以下の発光輝度に２１００時間で低下した。
【００６７】
本発明の有機ＥＬ素子は、発光効率、発光輝度の向上と長寿命化を達成するものであり、併せて使用される発光材料、ドーピング材料、正孔注入材料、電子注入材料、増感剤、樹脂、電極材料等および素子作製方法を限定するものではない。
【００６８】
【発明の効果】
本発明により、優れた電子輸送能力、陰極からの注入効率が良好な化合物を電子注入層に使用することにより、従来に比べて高発光効率、高輝度であり、長寿命の有機ＥＬ素子を得ることができた。これは、成膜された薄膜中の化合物の凝集が少ないために、素子の劣化を防止して、安定した電子注入特性が得られたためと思われる。